(57)【要約】【課題】所要数の型材を接合縁で接合すると、表面が面一となる掲示体を安価に製作することができて、構成された掲示体の組み合わせ数と形態を変えれば、多様な掲示体を構成することができ、また、型材の平面部が平らに形成されるので、表示シートを貼り易くて、貼られた表示シートが平らになり、表示を変形させないため表示が見易くて掲示効果が高まる掲示体用型材を提供すること。【解決手段】型材１は、裏側に設けた一方の接合縁２に凸部を、他方の接合縁３に凹部９を、型材表面より等距離になるように形成し、これら凹部９に凸部８を係合させて型材１を接合すると、接合した型材１の表面が面一に揃うようにするとともに、型材１の平面部１ａの裏側に、巾方向の中央部よりも端部の方が厚くなる肉厚差を付け、この肉厚差で平面部１ａの表面が平らに形成されるようにしたこと。【選択図】図１
2006208591.tif 000002
【特許請求の範囲】
【請求項１】
裏側の両端に接合縁を設けて、これら接合縁を係合させて所要数を接続すると、表示シートの掲示体が構成される型材であって、
この型材は、裏側に設けた一方の接合縁に凸部を、他方の接合縁に凹部を、型材表面より等距離になるように形成し、
これら凹部に凸部を係合させて型材を接合すると、接合した型材の表面が面一に揃うようにするとともに、
型材の平面部の裏側に、巾方向の中央部よりも両端部の方が厚くなる肉厚差を付け、この肉厚差で平面部の表面が平らに形成されるようにした
ことを特徴とする掲示体用型材。
【請求項２】
型材の裏側に設けた凹部を有する接合縁に、型材の側縁よりも外方へ延出する横向き片と、この横向き片の先端より前方へ延出する前向き片とよりなる鉤型の係合部を連設し、
この鉤型の係合部における前向き片の先端部には、隣り合う型材の裏側に設けた係止体へ係合して、型材同士の引き付けを行なう構造の係合体を設けてある
ことを特徴とする請求項１に記載の掲示体用型材。
【請求項３】
型材の一方の接合縁に連設した鉤型延長部の前向き片に、隣り合う型材の裏側に設けた係止体へ当ると、型材同士の表面が面一となるように位置規制をする規制部が設けられている
ことを特徴とする請求項１または請求項２に記載の掲示体用型材。
【発明の詳細な説明】
【技術分野】
【０００１】
本発明は、各種の表示シートを貼り付けて掲示する掲示体の構成に適した掲示体用型材に関する。
【背景技術】
【０００２】
従来、表示体用の型材は、中空構造で上下に凹凸部を有するものであり、その複数を凹凸部間に接着剤を介在して嵌合することで表示体を形成して、この表示体を支柱間に架設する構成を採用している。（例えば、特許文献１参照）
【特許文献１】特開平１１−２１９１４１号公報（第２、第３頁及び図２）
【０００３】
しかしながら、上記表示体用の型材は、中空構造であるため、表裏両面に表示機能を持たせることはできるが、3面、4面、或いは5面以上の表示体を形成することは不可能であって、しかも、型材の平面部が全体を等肉厚に設定されるため、型材の平面部が巾方向の中央部が凹む中垂れ現象を生じて、型材を接合して構成する掲示体の表面に凹凸を生じさせるので、表示シートを貼りにくくて、貼られた表示シートに凹凸が生じて、表示を変形させるため見にくくなる問題点がある。
【発明の開示】
【発明が解決しようとする課題】
【０００４】
本発明は前記問題点を解決し、所要数の型材を接合縁で接合すると、表面が面一となる掲示体を安価に製作することができて、構成された掲示体の組み合わせ数と形態を変えれば、多様な掲示体を構成することができ、また、型材の平面部が平らに形成されるので、表示シートを貼り易くて、貼られた表示シートが平らになり、表示を変形させないため表示が見易くて掲示効果が高まる掲示体用型材を提供することをその課題とする。
【課題を解決するための手段】
【０００５】
前記課題を解決するため本発明に係る掲示体用型材は、下記の構成を採用することを特徴とする。
【０００６】
裏側の両端に接合縁を設けて、これら接合縁を係合させて所要数を接続すると、表示シートの掲示体が構成される型材であって、この型材は、裏側に設けた一方の接合縁に凸部を、他方の接合縁に凹部を、型材表面より等距離になるように形成し、これら凹部に凸部を係合させて型材を接合すると、接合した型材の表面が面一に揃うようにするとともに、型材の平面部の裏側に、巾方向の中央部よりも両端部の方が厚くなる肉厚差を付け、この肉厚差で平面部の表面が平らに形成されるようにしたこと。
【０００７】
型材の裏側に設けた凹部を有する接合縁に、型材の側縁よりも外方へ延出する横向き変と、この横向き変の先端より前方へ延出する前向き片とよりなる鉤型の係合部を連設し、この鉤型の係合部における前向き片の先端部には、隣り合う型材の裏側に設けた係止体へ係合して、型材同士の引き付けを行なう構造の係合体を設けてあることが好ましい。
【０００８】
型材の一方の接合縁に連設した鉤型延長部の前向き片に、隣り合う型材の裏側に設けた係止体へ当ると、型材同士の表面が面一となるように位置規制をする規制部が設けられていることが好ましい。
【発明の効果】
【０００９】
請求項１の効果  型材を裏側に設けた接合縁の凹部と凸部を係合させて接合するだけで
、表面が面一となる掲示体を安価に形成することができて、しかも、構成される掲示体の組合わせる数と形状を変えれば、多様な掲示体を構成することができ、更に、型材は平面部の裏側に肉厚差を付けることで平面部を平らに形成させたから、表示シートの貼り付けが容易に行えて、しかも、貼られた表示シートが平であるため、変形のない正しい表示が掲出されて見易くなる特徴がある。
【００１０】
請求項２の効果  鉤型係合部の前向き片に設けた係合体を、隣り合う型材の裏側に設けた係止体へ係合させれば、型材同士の引き寄せが行なわれて、型材の間隙を最小にすることができる。
【００１１】
請求項３の効果  鉤型係合部の前向き片に設けた規制部材を、隣り合う型材に設けた係止体へ当てると、型材同士の表面揃えが行われて、構成された掲示体の表面を面一にすることができる。
【発明を実施するための最良の形態】
【００１２】
以下に本発明に係る掲示体用型材の実施形態を図面に付いて説明する。
【実施例１】
【００１３】
図１〜図５において符号１は掲示体用型材１を示す。この掲示体用型材１は、裏側の両端に接合縁２と接合縁３とを設けて、これら接合縁２と３を係合させて型材１の所要数を接続し、裏側を支持部材４に支持させると、表示シート５の掲示体６が図７の通り構成されて、この掲示体６は、組み合わせ方で図８〜図１０に一例を示す通り、多種類の物を構成することができる。
【００１４】
上記型材１は、アルミニウムの押出成形等で図３に一部分を示す通りの長尺物に形成するものであって、裏側の両端に後方へ延び出す接合縁２と３を設け、これら接合縁２と３は、型材１を図７のように並べたとき相互の間に図６に示す通りの間隙７ができるように配置されている。そして、一方の接合縁２には、型材１の側縁よりも外側へ突出するＬ形の凸部８を、他方の接合縁３には、上記凸部８に合わせてＬ形とした凹部９を、それぞれ型材１の表面よりの距離が等しくなるように連設してある。
【００１５】
また、型材１の平面部１ａは、表面が平らに形成されるように裏側に巾方向の中央部よりも両端部が厚くなるように肉厚差を付け、この肉厚差で平面部１ａが平らに形成されるようにするものであって、肉厚差は図２に示す通り中央部の厚さＴ１を１とした場合、両端部の最大厚さＴ２を１．１〜１．５とすることが好ましく。両端部の肉厚とする部分１ｂの巾は、図１、図４に示す通り平面部１ａの全巾の１／１０〜１／５程度として、この部分１ｂを端側より中央側へ向って傾く図１、図２に示す通りの弧状斜面、または、図４に示す通りの直状斜面とするか、或いは、図５に示す通り端部から巾の中心に達する直状斜面等としてもよい。
【００１６】
更に、型材１はその表面へ表示シート５を貼り付けるとき、空気が閉じ込められないようにする筋溝１０を図２等に示す通り設ける。この筋溝１０は、巾が０．４ｍｍ、深さが０．０８ｍｍ程度のＶ字形等であって、相互の間隔は２ｍｍ程度とし、かつ、筋溝１０の両側壁は半径０．３ｍｍ程度のアール面に形成することが好ましい。
【００１７】
上記接合縁３に連設されたＬ形の凹部９の先端には、図２に示す通り、型材１の側縁よりも外方へ延出する横向き片１１ａと、横向き片１１ａの先端から前方へ張り出す前向き片１１ｂとよりなる鉤形の係合部１１を連設する。そして、前向き片１１ｂの先端の内側には、斜面１２ａと段部１２ｂを有する係合体１２を設ける。
【００１８】
上記係合体１２に対応させて型材１の裏側には、図１、図４、図５、図６に示す通り係止体１３を設ける。この係止体１３は、型材１よりの立上片１４へ係合体１１と係合するように設けるものであって、傾斜する円弧面１３ａと段部１３ｂとを、係合体１１とは反対の関係位置で形成する。また、この係止体１３は、その先端が鉤形係合部１１の前向き片１１ｂに設けた規制部１５へ当ると、隣り合う型材１と１の表面が面一に揃えられるように高さを設定してある。
【００１９】
上記鉤形係合部１１の横向き片１１ａと前向き片１１ｂとが交わる角部１６は直角でもよいが、図１、図４、図５、図６に示す通りのＬ形か、図面には示してない円弧形等の撓み易い形に形成すると、角部１６が変形し易くなるため、係合体１２を係止体１３へ係合させ易くすることができる。
【００２０】
また、鉤形の係合部１１の横向き片１１ａは、この部分をネジ１７等で図６のように支持部材４へ止め付けるため、巾方向の中央付近に図５に示す通り、凹条１８を形成して置き、この凹条１８を案内にしてネジ１７の締め付けを行なうようにする。
【００２１】
型材１を支持させる支持部材４は、Ｌ形などの形鋼材を用いるものであって、図４に示す通り鋼材のパイプか形材を用いた支柱１９へ取り付け片２０で所要の数を適当な間隔で取り付けて、型材１を変形を生じないように支持させるものであり、この支持部材４の数と配列を変換することで、３面、４面、或いは５面以上の掲示体６を形成することができる。
【００２２】
型材１を支持部材４に支持させて形成する掲示体６は、周囲に型材１の側縁及びや端縁が露出して見栄えがよくない。そこで、周囲には図８に示す通り一面用の廻し縁２１と、二面用の廻し縁２２とを取り付けて、型材１の側縁及び端縁を隠すと共に、化粧して掲示体１の見栄えをよくするものであって、この廻し縁２１と廻し縁２２は、取付け部２１ａ及び取付け部２２ａで支持部材４へ固定する。
【００２３】
上記実施形態の型材によって、図８、図９に示す通りの掲示体６を形成するには、４本の支柱１９へ前と左右の三方の支持部材４を取り付けて、これら支持部材４の端部に廻し縁２１及び廻し縁２２を取り付ける。そして、各支持部材４へ一端から型材１を先行する側縁部が廻し縁２１又は廻し縁２２へ隠れるように当て、他方の接合縁３に連設した鉤型係合部１１の横向き片１１ａを支持部材４へネジ１７で止め着ける。そして、次の型材１を図６に鎖線で示す通り斜めにして、端縁を先の型材１の端縁に押し付け、実線で示すように回動させると、先の型材１の接合縁３に設けた凹部９へ、後の型材１の接合縁２の凸部８が実線で示すように係合して、後の型材１に設けた係止体１３は、先の型材１の鉤型係合部１１の前向き片１１ｂに設けた係合部１２へ係合して、先端を前向き片１１ｂに設けた規制部１５へ当てるので、次の型材１の接合縁３に連設した鉤型係合部１１の横向き片１１ａをネジ１７で支持部材４へ止め着けてから、その次の型材１を上記同様に取り付けて行けば、型材１が支持部材４に支持されて図７に示す通りの掲示体６を構成するので、この掲示体６が希望する大きさに達したとき、最後の型材１の端縁を廻し縁２１または廻し縁２２で覆わせて掲示体６を完成させる。
【００２４】
このように完成した掲示体６は、各型材１の接合縁３の凹部９と接合縁２の凸部８との係合及び、鉤形係合部１１の横向き片１１ｂに設けた規制片１５と、係止体１３の先端との当接によって、各型材１の表面を揃える面合わせが行われるため、全部の型材１の表面が面一になると共に、係合体１２と係止体１３との係合によって型材１同士の引き付けが行われるので、各型材１の間隙は最小となって、一連状の表示シート５の貼付面を構成するものであって、この貼付面は、型材１の平面部１ａが裏側へ巾方向の中央部よりも端部が厚くなる肉厚差を付けることで表面が平らになるように形成されるため、この表面の連続で構成される表示シートの貼付面は、凹凸がない平坦面となり、表示シート５を貼り付け易くするとともに、貼り付けた表示シート５を平らにして、表示が変形もなく正確に掲出されるようにする。
【００２５】
なお、この型材１は図１０に示す通り横貼りで掲示体６を構成することもできるものであって、この場合は、支持部材４を支柱１９と支柱１９の間に渡した連結材２３へ縦方向に取り付け、これら支持部材４へ型材１を横方向に取り付ける横貼りで掲示体６を構成させる。
【産業上の利用可能性】
【００２６】
表面が面一となる掲示体を安価に構成することが可能であって、表示シートの凹凸を生じない平らな貼り付けが容易に行われて、表示を変形させることなく正確に掲出するので掲示効果が高まる掲示体用型材を提供することが可能となる。
【図面の簡単な説明】
【００２７】
【図１】掲示体用型材の端面図
【図２】同上の一部分の拡大図
【図３】掲示体用型材の一部分を示す斜視図
【図４】掲示体用型材の他の例を示す端面図
【図５】掲示体用型材の更に他の例を示す端面図
【図６】掲示体用型材を接合縁で接合する状態の説明図
【図７】掲示体用型材を接合して形成した掲示体の一部分の平面図
【図８】掲示体用型材の縦貼りで形成した掲示体の平面図
【図９】同上掲示体の外観図
【図１０】掲示体用型材の横貼りで形成した掲示体の平面図
【符号の説明】
【００２８】
１  掲示体用型材
１ａ  平面部
１ｂ  肉厚部
２  一方の接合縁
３  他方の接合縁
５  表示シート
６  掲示体
８  凸部
９  凹部
【図１】
2006208591.tif 000003
【図２】
2006208591.tif 000004
【図３】
2006208591.tif 000005
【図４】
2006208591.tif 000006
【図５】
2006208591.tif 000007
【図６】
2006208591.tif 000008
【図７】
2006208591.tif 000009
【図８】
2006208591.tif 000010
【図９】
2006208591.tif 000011
【図１０】
2006208591.tif 000012